(57)【要約】【課題】撓みや振動に対して強固な構造を有し，水平面における無指向性のよいアンテナを提供する。【解決手段】水平面無指向性アンテナにおいて，少なくとも，中心導体と該中心導体の軸心と同心に配設された外部導体からなる所定の長の同軸線路と，前記同軸線路の一端側の外部導体と接続される接地線路と同軸線路の中心導体と接続される給電線路を備え，前記同軸線路の軸線に略並行な平面に沿って軸線方向に配列接続されたエレメント支持部材と，  前記エレメント支持部材に形成された前記給電線路と前記接地線路間に接続され，前記同軸線路の軸線に略垂直な平面に沿って円形もしくは多角形に形成されたフォールデッドダイポールと，を具備し，これらの前記同軸線路と前記エレメント支持部材と前記フォールデッドダイポールからなる水平面無指向性アンテナを垂直方向に直列に複数個接続する。【選択図】  図３
2008060764.tif 000002
【特許請求の範囲】
【請求項１】
水平面無指向性アンテナにおいて，
少なくとも，中心導体と該中心導体の軸心と同心に配設された外部導体からなる所定の長さの同軸線路と，
前記同軸線路の一端側の外部導体と接続される接地線路と同軸線路の中心導体と接続される所定の長さの給電線路を備え，前記同軸線路の軸線に略並行な平面に沿って軸線方向に配列接続されたエレメント支持部材と，
前記エレメント支持部材に形成された前記給電線路と前記接地線路間に接続され，前記同軸線路の軸線に略垂直な平面に沿って円形もしくは多角形に形成されたフォールデッドダイポールと，
を具備したことを特徴とする水平面無指向性アンテナ。
【請求項２】
前記同軸線路と前記エレメント支持部材と前記フォールデッドダイポールからなる水平面無指向性アンテナを垂直方向に直列に複数個接続したことを特徴とする請求項１に記載の水平面無指向性アンテナ。
【請求項３】
前記フォールデッドダイポールは，使用周波数の０．４から０．６波長のアンテナ長を有することを特徴とした請求項１または請求項２のいずれか一項に記載の水平面無指向性アンテナ。
【請求項４】
前記同軸線路の軸線に略直交する方向の前記エレメント支持部材の外形寸法は前記フォールデッドダイポールの外形寸法より僅かに大きいことを特徴とした請求項１から請求項３のいずれか一項に記載の水平面無指向性アンテナ。
【請求項５】
前記同軸線路の長さと，前記エレメント支持部材に形成された前記給電線路の長さにより，前記給電線路の軸線方向と略直交する面に対する放射のチルト角度を最適化して設定することを特徴とする請求項１から請求項４のいずれか一項に記載の水平面無指向性アンテナ。
【請求項６】
前記同軸線路は同軸ケーブルからなることを特徴とした請求項１から請求項５のいずれか一項に記載の水平面無指向性アンテナ。
【発明の詳細な説明】
【技術分野】
【０００１】
本発明は，主に移動体通信システムの基地局に利用される水平偏波無指向性アンテナに関し，詳しくはその水平偏波無指向性アンテナの構成に関する。
【背景技術】
【０００２】
従来の水平偏波無指向性アンテナは，垂直方向に支持された長方形板の長辺に沿って端部表裏に平行な一対の給電線路を形成したアンテナ基板と，上記一対の給電線路に沿って接続配列された複数のリング状に形成されたダイポールアンテナと，上記アンテナ基板の基部に形成され，上記一対の給電線路に直列給電を行わせる平衡／不平衡変換部とを備えた水平偏波無指向性アンテナが提案されている。
（例えば，特許文献１参照）
【０００３】
【特許文献１】特開２００５−１６７７０５号公報
【発明の開示】
【発明が解決しようとする課題】
【０００４】
しかし，従来の水平偏波無指向性アンテナによると，アンテナ間の伝送線路をプリント基板上に形成した一対の給電線路で実現しているため，この給電線路の伝送損失を少なくするためには，伝送損失の少ない高価な材質のプリント基板を使用する必要がありコストが高くなると言った問題があった。また，必要とする性能によってはプリント基板上に複数のダイポールアンテナを支持する必要があるので，プリント基板は非常に長いものとなり，プリント基板の強度を維持するためには，硬めで十分な厚みのある基板が必要となり，この点においても素材のコストアップが避けられなかった。
また，アンテナを構成する素子がダイポールアンテナから構成されているので，アンテナの基部には，上記一対の給電線路に直列給電を行わせる平衡／不平衡変換部を備えさせる必要が生じることになり，プリント基板がさらに大きくなるといった問題もあった。
一方，このように構成されたアンテナは垂直方向に長くなるので，風などの影響によってアンテナを構成する素子を被うレドームが撓ったり振動したりする。この結果，アンテナを構成するプリント基板にはそのストレスが加わることになる。ところが，従来技術の発明に示されているように，プリント基板の短辺の長さがリング状のダイポールアンテナの外径と同じか小さくなるように形成されており，長辺方向の寸法が短辺に比べて極めて長い状態を考えると，レドームが風などによって撓ったり共振して振動したりすることによって，例えばプリント基板が大きく撓んだり，振動が加わったりする状況が考えられる。そこで，アンテナの電気的特性を安定させ，且つ強度的にも信頼性を得ようとすると，プリント基板の周り等に，プリント基板を保持するための保持手段を設けることで，プリント基板の振動を抑えることはできるものの，レドーム全体が撓むことで生じるストレスには対応できなかった。そこで本願においては，こうした問題点を解決するためになされたものであり，
その目的は，簡単な構成で高性能な水平偏波無指向性アンテナを提供することを課題とする。
他の目的は，アンテナ全体の外径がスリムな水平偏波無指向性アンテナを提供することを課題とする。
他の目的は，特に風などによって発生する撓みや振動などに対する信頼性に優れた水平偏波無指向性アンテナを提供することを課題とする。
他の目的は，コストの安価な水平偏波無指向性アンテナを提供することを課題とする。
他の目的は，チルト角の最適化が簡単にできる水平偏波無指向性アンテナを提供することを課題とする。
【課題を解決するための手段】
【０００５】
上記課題を解決するために，請求項１の発明は，水平面無指向性アンテナにおいて，
少なくとも，中心導体と該中心導体の軸心と同心に配設された外部導体からなる所定の長さの同軸線路と，
前記同軸線路の一端側の外部導体と接続される接地線路と同軸線路の中心導体と接続される給電線路を備え，前記同軸線路の軸線に略並行な平面に沿って軸線方向に配列接続されたエレメント支持部材と，
前記エレメント支持部材に形成された前記給電線路と前記接地線路間に接続され，前記同軸線路の軸線に略垂直な平面に沿って円形もしくは多角形に形成されたフォールデッドダイポールと，を具備するように構成される。
【０００６】
請求項２の発明は，請求項１に記載の水平面無指向性アンテナにおいて，前記同軸線路と前記エレメント支持部材と前記フォールデッドダイポールからなる水平面無指向性アンテナを垂直方向に直列に複数個接続して構成される。
。
【０００７】
請求項３の発明は，請求項１または請求項２のいずれか一項に記載の水平面無指向性アンテナにおいて，前記フォールデッドダイポールは，使用周波数の０．４から０．６波長のアンテナ長を有するように構成される。
【０００８】
請求項４の発明は，前記同軸線路の軸線に略直交する方向の前記エレメント支持部材の外形寸法は前記フォールデッドダイポールの外形寸法より僅かに大きいことを特徴とした請求項１から請求項３のいずれか一項に記載の水平面無指向性アンテナ。
【０００９】
請求項５の発明は，請求項１から請求項４のいずれか一項に記載の水平面無指向性アンテナにおいて，前記同軸線路の長さと，前記エレメント支持部材に形成された前記給電線路の長さにより，前記給電線路の軸線方向と略直交する面に対する放射のチルト角度を最適化して設定するように構成される。
【００１０】
請求項６の発明は，請求項１から請求項５のいずれか一項に記載の水平面無指向性アンテナにおいて，前記同軸線路は同軸ケーブルからなるように構成される。
【発明の効果】
【００１１】
請求項１の発明によれば，構造が簡単であって，且つ給電線路の損失を小さくすることができることで電気的特性の優れたアンテナを提供できるばかりでなく，フォールデッドダイポールを直列給電する主たる給電線路を同軸線路で構成したので，アンテナ全体の外径をスリムにできるばかりでなく，アンテナの機械的強度をきわめて強固にすることができる。
【００１２】
請求項２の発明によれば，同軸線路とエレメント支持部材とフォールデッドダイポールからなる水平面無指向性アンテナを，所要の電気的特性に合わせて垂直方向に直列に複数個接続すればよいので構成部品が少ないアンテナ構成であってもきわめて汎用性の高い水平偏波無指向性アンテナとすることができる。
【００１３】
請求項３の発明によれば，特に周波数の高い電波を使用する，例えばＰＨＳ基地局用のアンテナに用いれば，フォールデッドダイポールの小型化が実現でき，結果的にアンテナをスリムにすることができ，ビルの屋上や電柱の上部への設置における容易性を有したアンテナを提供することができる。
【００１４】
請求項４の発明によれば，レドームの内径をエレメント支持部材の幅寸法より僅かに大きく形成すれば，エレメント支持部材の両側側辺は，組み上がったアンテナをレドームに収納するときのガイドの役目をして，フォールデッドダイポールがレドームの内壁に接触して変形するのを防止すると共に，レドームの撓みや振動に対してレドームとフォールデッドダイポールとの適切な間隔を保つスペーサとして動作させることができる。
【００１５】
請求項５の発明は，請求項１から請求項４のいずれか一項に記載の水平面無指向性アンテナの効果に加えて，例えば，前記エレメント支持部材に形成された前記給電線路を経路長の異なる複数の線路からなるように構成し，必要に応じて給電線路の経路を選択的に選ぶように構成することで，前記給電線路の軸線方向と略直交するする面に対する放射のチルト角度を任意の角度に最適化して設定することができる優位性の高いアンテナを提供することができる。
【００１６】
請求項６の発明によれば，同軸線路が一般的に市販されている同軸ケーブルで実現できるので生産性の効率がよいアンテナを提供できる。また，主たる給電線路を同軸ケーブルで構成すると共に，例えばプリント基板を用いて構成されるエレメント支持部材はできる限り小さくなるように形成されているので，レドームが風などにより全体的に撓んだり振動したりしても，アンテナを構成する同軸ケーブルが有する柔軟性がそのストレスを吸収することができ，機械的強度に対する極めて信頼性の高いアンテナを提供できる。
【発明を実施するための最良の形態】
【００１７】
以下に，本発明を具体化した実施形態の例を，図面を基に詳細に説明する。
図１は本発明にかかる水平偏波無指向性アンテナの概略図面であり，（ａ）は正面図，（b）は背面図，（ｃ）は上面図である。図２は本発明にかかる水平偏波無指向性アンテナの要部を拡大した斜視図である。図３は本発明にかかる水平偏波無指向性アンテナの全体の構成を示す概略図である。尚，以下に示す具体例において方向を示す場合は，同軸線路の軸線方向を上下方向とする。また，以下の実施例では本発明のアンテナはＰＨＳの基地局アンテナに対応させた例を示すものであるが，特にＰＨＳに限定されるものではない。
【実施例１】
【００１８】
図において１は本発明にかかる水平偏波無指向性アンテナであり，所定の長さに形成された同軸線路としての同軸ケーブル５と，前記同軸ケーブル５の一端側の外部導体７と接続される接地線路３５と同軸ケーブル５の中心導体９と接続される給電線路３１を備え，前記同軸ケーブル５の軸線に略並行な平面に沿って軸線方向に配列接続されたエレメント支持部材３０と，前記エレメント支持部材３０に形成された前記給電線路３１と前記接地線路３５間に接続され，前記同軸ケーブル５の軸線に略垂直な平面に沿って略円形に形成されたフォールデッドダイポール１００とから構成されたエレメント部を基本構成とし，必要に応じてこのエレメント部を直列に複数個を配列接続して水平偏波無指向性アンテナ１が構成される。
【００１９】
本発明の実施例に使用されている同軸ケーブル５は，一般的に市販されている特性インピーダンスが５０Ωである８Ｄ−２Ｖを所定長に切断したものであり，その両端部はそれぞれ所定の加工を施してある。尚，本発明の実施例では同軸ケーブル５の寸法は，波形短縮率等を勘案して使用周波数の０．４から０．６波長の長さである。
【００２０】
このように形成された同軸ケーブル５の一方側端部には，エレメント支持部材３０が前記同軸ケーブル５の軸線に略並行な平面に沿って軸線方向に配列接続されている。本発明の実施例ではエレメント支持部材３０は板厚１．６ｍｍのガラスコンポジット材（ＣＥＭ−３，比誘電率＝４，２）のプリント基板２から構成されている。このプリント基板２は両面に導電材を備えた両面基板であり，表面および裏面とは必要個所に設けられたスルーホールによって接続されている。
ここで更に詳しくエレメント支持部材３０について説明する。図１および図２によく示されるように，プリント基板２の表面側には，プリント基板２の下方から上方にかけて形成された，同軸ケーブル５の中心導体９と接続される前記給電線路３１に加え，後述のフォールデッドダイポール１００をプリント基板に固着するためのランドである表側止着ランド３２ａが形成されている。また，プリント基板２の裏面側には，プリント基板の下方から上方にかけて形成された，同軸ケーブル５の外部導体７と接続される接地線路３５に加え，前記表側止着ランド３２ａと対向する位置に裏側止着ランド３２ｂが形成されている。本発明の実施例では接地線路３５はプリント基板２の接地導体であり，スルーホールによって，表面側の接地導体と接続されている。また，表側止着ランド３２ａと裏側止着ランド３２ｂもスルーホールで電気的に接続されている。
【００２１】
給電線路３１は，同軸ケーブル５の中心導体９の先端部を接続する接続ランド３１ａと，後述のフォールデッドダイポール１００の給電点を固着するための支持ランド３１ｂと，プリント基板２のさらに上側に接続される同軸ケーブル５の中心導体９の先端部を接続する接続ランド３１ｃとを結ぶ所定の線路長を有する伝送経路からなり，この線路長は，同軸ケーブルの線路長と共に，アンテナのチルト角に応じて最適化されている。以上のようにプリント基板２に所定の加工がなされてエレメント支持部材３０が形成されている。
尚，上記説明は同軸ケーブル５間に介設するエレメント支持部材３０（図には３０Ｂで示される）について説明したものであり，最も上段に位置するエレメント支持部材３０（図には３０Ａで示される）は，給電線路３１の長さがフォールデッドダイポール１００を取り付けるだけの給電線路があれば良く，図１（ａ）正面図に示されるように接続ランド３１などのフォールデッドダイポールより上側に位置する線路はなくても良い。以下の説明でエレメント支持部材３０と記載されたものは，特に明記されない限り，図に示される同軸ケーブル５間に介設するエレメント支持部材３０Ｂについての説明である。
【００２２】
次に，フォールデッドダイポール１００について説明する。本発明の実施例におけるフォールデッドダイポール１００は，略半円形に形成された第１のエレメント部材１０と，該第１のエレメント部材１０と相対向するように略半円形に形成された第２のエレメント部材２０とから構成されており，エレメント支持部材３０の表側と裏側に取り付けたときに略円形のフォールデッドダイポール１００を形成するように構成されている。それぞれのエレメント部材は弾性を有する導電材を金型等によって打ち抜き加工して湾曲状に成型したものである。尚，本発明の実施例ではエレメント部材は板厚０．５ｍｍのバネ用銅合金から構成されている。
【００２３】
第１のエレメント部材１０は，略半円形の下側素子１１と，該下側素子１１に略平行配置された略半径の上側素子１３と，下側素子１１と上側素子１３の一方側先端部を接続する折り返し部１７が一体的に構成されている。また，下側素子１１の他方側先端部１２には下側素子１１の先端部１２を内側に折り返した形成した支持基部１５が一体的に備えられている。この支持基部１５にはエレメント支持部材３０に向かって突設した第１のエレメント部材１０の位置決め用の固着爪１５ａが形成されている。さらに，上側素子１３の他端側先端部１４には上側素子１３の先端部１４を内側に折り返し形成した接続片１６が備えられている。
第２エレメント部材２０も同様な構成をしており，前記第１エレメント部材１０に相対向するように略半円形の下側素子２１と，該下側素子２１に略平行配置された略半円形の上側素子２３と，下側素子２１と上側素子２３の一方側先端部を接続する折り返し部２７が一体的に構成されている。また，下側素子２１の他方側先端部２２には下側素子２１の先端部２２を内側に折り返し形成した支持基部２５が一体的に備えられている。この支持基部２５にはエレメント支持部材３０に向かって突設した第２のエレメント部材２０の位置決め用の固着爪２５ａが形成されている。この固着爪２５ａの軸線と前記第１のエレメント部材１０に形成された固着爪１５ａの軸線とは，第１のエレメント部材１０と第２のエレメント部材をエレメント支持部材３０に取り付けたときに，相互に重合しないように互い違いの位置に形成されている。さらに，上側素子２３の他端側先端部２４には上側素子２３の先端部２４を内側に折り返し形成した接続片２６が備えられている。
【００２４】
ここで，エレメント支持部材３０に対して第１および第２のエレメント部材を取り付ける手順を説明する。まず第１のエレメント部材１０の支持基部１５に形成された固着爪１５ａを，エレメント支持部材３０に形成された位置決め孔２ａに挿入し，支持基部１５を前記支持ランド部３１ｂに当接させる。そして，例えば半田付け等の周知の方法で支持ランド３１ｂと支持基部１５とを固着すれば第１のエレメント部材１０は同軸線路の軸線方向に略垂直な平面に沿って取り付けられる。この固着が完了したなら，上側素子１３の他端側先端部１４を折り返して形成された接続片１６は，表側止着ランド３２ａに対向して配置されているので，例えば半田付け等の周知の方法で，接続片１６を表側止着ランド３２ａに固着することによって第１のエレメント部材１０の取り付けが完了する。
次に第２のエレメント部材２０を取り付ける。エレメント支持部材３０には第２のエレメント部材２０の位置決め用の位置決め孔２ｂが形成されているので，この位置決め孔２ｂに対して第２のエレメント部材２０に形成された固着爪２５ａを挿入し，支持基部２５をエレメント支持部材３０の裏面に形成された接地線路３５に当接させる。そして，例えば半田付け等の周知の方法で支持基部２５を接地線路３５に対して固着する。さらに上側素子２３の他端側先端部２４を折り返して形成された接続片２６は，裏側止着ランド３２ｂに対向して配置されているので，例えば半田付け等の周知の方法で接続片２６を裏側止着ランド３２ｂに固着することによって第２のエレメント部材２０の取り付けが完了する。
【００２５】
このようにして取り付けられた第１および第２のエレメント部材は，第１のエレメント部材１０の支持基部１５，下側素子１１，折り返し部１７，上側素子１３，接続片１６と，エレメント支持部材３０に形成された止着ランド３２ａ，３２ｂを介して，第２のエレメント部材２０の接続片２６，上側素子２３，折り返し部２７，下側素子２１，支持基部２５とからなる略円形状の，エレメント支持部材３０に形成された前記給電線路３１と前記接地線路３５間に同軸ケーブルの軸線に略直交する平面に沿うように配列接続されたフォールデッドダイポール１００が構成される。
尚，本発明の実施例ではフォールデッドダイポール１００は略円形状となるように構成したが，例えば四角形状のような多角形に形成しても所望の特性が得られればよく，その形状は実施例に限定されるものではない。
【００２６】
エレメント支持部材３０にフォールデッドダイポール１００の取り付けがすんだなら，同軸線路としての前記同軸ケーブル５とエレメント支持部材３０とを取り付ける。
プリント基板２の下方と上方には切欠部４が形成されている。この切欠部４の大きさはは同軸ケーブルの外部導体７をプリント基板２の表面側から切欠部４に対して当て付けたときに，同軸ケーブル５の中心導体９が接続ランド３１ａ（または，接続ランド３１ｃ）にちょうど接触するように外部導体７の外径よりわずかに小さい幅で形成されている（図１（ｃ）上面図参照）。同軸ケーブル５の先端部の加工は同軸ケーブル５の外部導体７部を切欠部４に当接させると共に，同軸ケーブル５の外部導体７および内部絶縁体８の先端部を切欠部４の底部分に当接させた時に，中心導体９が接続ランド３１ａ（または，接続ランド３１ｃ）にちょうど接触し，外部絶縁体６がプリント基板２と重合しないような寸法に加工すればよい。
そして，切欠部４に対して同軸ケーブル５を当て付けたなら，プリント基板２の表側の切欠部４を挟んで両側に備えられた十分に広い幅を持った接地導体３６に半田付け等の周知の技術でもって強固に接続することによってアンテナの基本構成であるエレメント部が完成する。
【００２７】
このように構成されたエレメント部を複数直列に接続してなるアンテナ１の全体構成を図３に示す。同軸ケーブル５を介して配設されたエレメント支持部材３０に対して，第１および第２のエレメント部材１０，２０を対にして水平方向に配設することで複数のフォールデッドダイポール１００が同軸線路５の軸線方向に沿って配列され，中心導体９と給電線路３１からなる給電線路と，外部導体７と接地線路３５からなる給電線路により直列給電されている。アンテナの基部側にはその先端部にコネクタ５０が接続された給電線が接続されている。
本発明の実施例ではエレメント支持部材３０の水平方向の寸法は，略円形状に形成されたフォールデッドダイポール１００の外径よりわずかに大きくなるような寸法に設定されている。そして，図には示されないレドームの内径をエレメント支持部材３０の水平方向の寸法より僅かに大きく形成することによって，前記エレメント支持部材３０の両側側辺は，組み上がったアンテナをレドームに収納するときのガイドの役目をして，フォールデッドダイポール１００がレドームの内壁に接触して変形するのを防止すると共に，レドームの撓みや振動に対してレドームとフォールデッドダイポール１００との適切な間隔を保つスペーサとして動作するのである。
【００２８】
ここで，このアンテナを中心周波数が１９０２．２ＭＨｚ（波長λ＝１５７．７ｍｍ）のＰＨＳ基地局用アンテナとして構成した具体的な寸法を示す。
同軸線路５の線路長は，同軸ケーブル８Ｄ−２Ｖ（波長短縮率＝６６％）を用いて７１ｍｍ（０．４５λ）である。
第１および第２のエレメント部材１０，２０は，下側素子・上側素子・折り返し部が共に３ｍｍの幅であり，下側阻止と上側素子の間隔が３ｍｍであるように折り返し形成されており，フォールデッドダイポール１００としてのその直径は略２５ｍｍ（０．１６λ），周囲長は７１．５ｍｍ（０．４５λ）である略円形に形成されている。
フォールデッドダイポール１００の相互の間隔はそれぞれ８６ｍｍ（０．５４λ）だけ離隔して取り付けられており，この条件で垂直面のチルト角が−５°であるアンテナが構成されている。
【００２９】
このアンテナの実測データを図４から図６に示す。この図において図４は電圧定在波比（以下，ＶＳＷＲと記載する。）であり，図５は水平偏波垂直面指向性であり，図６は水平偏波水平面指向性である。
図４はＰＨＳ帯の周波数帯域である１８８４．５〜１９１９．９ＭＨｚのＶＳＷＲの値が良く判るようにこの帯域を中心として６５ＭＨｚ範囲にわたってＶＳＷＲの測定値が示されている。この結果によれば，下限周波数の１８８４．５ＭＨｚにおいてＶＳＷＲ＝１．２７，中心周波数である１９０２，２ＭＨｚにおいてＶＳＷＲ＝１，１１，上限周波数の１９１９．９ＭＨｚにおいてＶＳＷＲ＝１．１２であり目標とするＶＳＷＲ＝１．５に対して充分にマージンを有した値が得られている。
図５の水平偏波垂直面指向性のデータによれば上記の条件に基づいたアンテナの垂直面のチルト角は周波数が１９０２．２ＭＨｚにおいてアンテナの下方向に丁度−５°となるように最適化され，ＰＨＳ基地局アンテナとして求められているアンテナ性能の内の１つに適合している。
図６の水平偏波水平面指向性のデータによれば，上記の条件に基づいたアンテナの水平面偏差は周波数が１９０２．２ＭＨｚにおいて目標とする１．５ｄＢ以内に対して１．３ｄＢであり充分に目標を満足している。
【００３０】
以上，本発明の水平偏波無指向性アンテナによれば，構造が簡単であって，且つ給電線路の損失を小さくすることができることで，電気的特性の優れたアンテナを提供できる。また，フォールデッドダイポール１００を直列給電する主たる給電線路を同軸線路で構成したので，アンテナ全体の外径をスリムにできるばかりでなく，アンテナの機械的強度をきわめて強固にすることができる。また，このアンテナを特に周波数の高い電波を使用する，例えばＰＨＳ基地局用のアンテナなどに用いれば，フォールデッドダイポール１００が小さくできると共に，このフォールデッドダイポール１００が略円形状に形成されていることによってスリム化が実現でき，結果的にアンテナをスリムにすることになり，ビルの屋上や電柱の上部への設置における容易性を有したアンテナを提供することができる。また，フォールデッドダイポール１００を用いたことにより平衡不平衡変換を備えることなく給電線を引き出すことができるので，アンテナ構造が簡単になる。
【００３１】
また，同軸線路として一般的に市販されている同軸ケーブルを使うことで，生産性のよいアンテナを提供できる。またこのように，主たる給電線路を同軸ケーブルで構成すると共に，フォールデッドダイポール１００を支持するエレメント支持部材３０の寸法をできる限り小さくなるように形成したので，レドームが風などにより全体的に撓んだり振動したりしても，それらによって発生するストレスを同軸ケーブルが有する柔軟性によって吸収することができ，機械的強度に対する極めて信頼性の高いアンテナを提供できる。
【００３２】
そして，前記レドームの内径をエレメント支持部材３０の幅寸法より僅かに大きく形成すれば，エレメント支持部材３０の両側側辺は，組み上がったアンテナをレドームに収納するときのガイドの役目をして，フォールデッドダイポール１００がレドームの内壁に接触して変形するのを防止すると共に，レドームの撓みや振動に対してレドームとフォールデッドダイポール１００との適切な間隔を保つスペーサとして動作させることができる。
【００３３】
さらに加えて，例えば，前記エレメント支持部材３０に形成された前記給電線路を経路長の異なる複数の線路からなるように構成し，必要に応じて給電線路の経路を選択的に選ぶように構成することで，前記給電線路の軸線方向と略直交するする面に対する放射のチルト角度を任意の角度に最適化して設定することができる，優れたアンテナを提供することができる。
【００３４】
尚，本発明は上記実施の形態に限定されるものではなく，例えば，フォールデッドダイポールの形状を四角形などの多角形状に形成しても良いし，それらの配列間隔や配列数は所要性能に合わせて適宜に変更しても良い。また，実施例とした１９００ＭＨｚ帯を使ったＰＨＳ基地局用アンテナとしてばかりでなく，それ以外の周波数帯や用途に提供するように構成しても良いなど，本発明の趣旨を逸脱しない範囲で各部の構成を適宜に変更して実施することも可能である。
【図面の簡単な説明】
【００３５】
【図１】本発明にかかる水平偏波無指向性アンテナの概略図面であり，（ａ）は正面図，（b）は背面図，（ｃ）は上面図である。
【図２】本発明にかかる水平偏波無指向性アンテナの要部を拡大した斜視図である。
【図３】本発明にかかる水平偏波無指向性アンテナの全体の構成を示す概略図である。
【図４】本発明にかかる水平偏波無指向性アンテナの電圧定在波比の実測データである。
【図５】本発明にかかる水平偏波無指向性アンテナの水平偏波垂直面指向性の実測データである。
【図６】本発明にかかる水平偏波無指向性アンテナの水平偏波水平面指向性の実測データである。
【符号の説明】
【００３６】
１…水平偏波無指向性アンテナ，２…プリント基板，２ａ…位置決め孔，２ｂ…位置決め孔，４…切欠部，５…同軸ケーブル，６…外部絶縁体，７…外部導体，８…内部絶縁体，９…中心導体，１０…第１のエレメント部材，１１…下側素子，１２…先端部，１３…上側素子，１４…先端部，１５…支持基部，１５ａ…固着爪，１６…接続片，１７…折り返し部，２０…第２のエレメント部材，２１…下側素子，２２…先端部，２３…上側素子，２４…先端部，２５…支持基部，２５ａ…固着爪，２６…接続片，２７…折り返し部，３０…エレメント支持部材，３１…給電線路，３２…止着ランド，３５…接地線路，３６…接地導体，５０…コネクタ，１００…フォールデッドダイポール。
【図１】
2008060764.tif 000003
【図２】
2008060764.tif 000004
【図３】
2008060764.tif 000005
【図４】
2008060764.tif 000006
【図５】
2008060764.tif 000007
【図６】
2008060764.tif 000008